【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
遊技の結果に応じた所定情報を出力する遊技機と、前記所定情報に基づいて遊技履歴を更新する管理装置とを含む遊技システムであって、
前記遊技機は、
遊技の進行に応じて第１情報を更新する第１更新手段と、
遊技の進行に応じて第２情報を更新する第２更新手段と、
前記第１更新手段によって更新された前記第１情報および前記第２更新手段によって更新された前記第２情報を前記所定情報に含ませて出力する所定情報出力手段とを備え、
前記管理装置は、
前記所定情報出力手段によって出力された前記所定情報に含まれる前記第１情報を第１履歴情報として集計する第１集計手段と、
前記所定情報出力手段によって出力された前記所定情報に含まれる前記第２情報を第２履歴情報として集計する第２集計手段と、
前記第１集計手段によって集計された前記第１履歴情報を遊技者の遊技履歴として出力する遊技履歴出力手段と、
前記第２集計手段によって集計された前記第２履歴情報に応じて、遊技者に特典を付与する特典付与手段とを備え、
遊技の内容のうち特定内容は、前記遊技機で行なわれた単位遊技の回数が第１回数であるとともに前記単位遊技において遊技者にとって有利な結果となった回数が第２回数である内容であり、
所定値は、前記単位遊技が実行されることに応じて前記有利な結果とするか否かの抽選とは異なる抽選によって複数種類の値のいずれかで更新される値を集計した値であり、
前記第１情報は、前記遊技機で行なわれた遊技の内容が前記特定内容であるときに前記第１回数および前記第２回数を特定可能な情報であり、
前記第２情報は、前記遊技機で行なわれた遊技の内容が前記特定内容であるときに前記所定値を特定可能な情報であり、
前記所定情報出力手段は、前記所定情報を２次元コードとして画像表示装置へ表示することによって出力することを特徴とする、遊技システム。
【請求項２】
遊技の結果に応じた所定情報を出力する遊技機であって、
遊技の進行に応じて第１情報を更新する第１更新手段と、
遊技の進行に応じて第２情報を更新する第２更新手段と、
前記第１更新手段によって更新された前記第１情報および前記第２更新手段によって更新された前記第２情報を前記所定情報に含ませて出力する所定情報出力手段とを備え、
遊技の内容のうち特定内容は、該遊技機で行なわれた単位遊技の回数が第１回数であるとともに前記単位遊技において遊技者にとって有利な結果となった回数が第２回数である内容であり、
所定値は、前記単位遊技が実行されることに応じて前記有利な結果とするか否かの抽選とは異なる抽選によって複数種類の値のいずれかで更新される値を集計した値であり、
前記所定情報に含まれる前記第１情報は、該遊技機で行なわれた遊技の内容が前記特定内容であるときに前記第１回数および前記第２回数を特定可能な情報であって、前記所定情報に基づいて遊技履歴を更新する管理装置によって遊技者の遊技履歴として出力される第１履歴情報として集計される情報であり、
前記所定情報に含まれる前記第２情報は、該遊技機で行なわれた遊技の内容が前記特定内容であるときに前記所定値を特定可能な情報であって、前記管理装置によって遊技者への特典の付与に用いられる第２履歴情報として集計される情報であり、
前記所定情報出力手段は、前記所定情報を２次元コードとして画像表示装置へ表示することによって出力することを特徴とする、遊技機。
【請求項３】
所定情報に基づいて遊技履歴を更新する管理装置であって、
遊技の結果に応じた前記所定情報を２次元コードとして画像表示装置へ表示することによって出力する遊技機によって遊技の進行に応じて更新された第１情報および第２情報が含められて出力された前記所定情報に含まれる前記第１情報を第１履歴情報として集計する第１集計手段と、
前記遊技機によって出力された前記所定情報に含まれる前記第２情報を第２履歴情報として集計する第２集計手段と、
前記第１集計手段によって集計された前記第１履歴情報を遊技者の遊技履歴として出力する遊技履歴出力手段と、
前記第２集計手段によって集計された前記第２履歴情報に応じて、遊技者に特典を付与する特典付与手段とを備え、
遊技の内容のうち特定内容は、前記遊技機で行なわれた単位遊技の回数が第１回数であるとともに前記単位遊技において遊技者にとって有利な結果となった回数が第２回数である内容であり、
所定値は、前記単位遊技が実行されることに応じて前記有利な結果とするか否かの抽選とは異なる抽選によって複数種類の値のいずれかで更新される値を集計した値であり、
前記第１情報は、前記遊技機で行なわれた遊技の内容が前記特定内容であるときに前記第１回数および前記第２回数を特定可能な情報であり、
前記第２情報は、前記遊技機で行なわれた遊技の内容が前記特定内容であるときに前記所定値を特定可能な情報であることを特徴とする、管理装置。
【手続補正２】
【補正対象書類名】明細書
【補正対象項目名】発明の名称
【補正方法】変更
【補正の内容】
【発明の名称】遊技システム、遊技機、および、管理装置
【手続補正３】
【補正対象書類名】明細書
【補正対象項目名】０００６
【補正方法】変更
【補正の内容】
【０００６】
（１）  遊技の結果に応じた所定情報（たとえば、２次元コード）を出力する遊技機（たとえば、スロットマシン１、パチンコ遊技機７００など）と、前記所定情報に基づいて遊技履歴を更新する管理装置（たとえば、管理サーバ１２００）とを含む遊技システム（たとえば、遊技システム１００１）であって、
前記遊技機は、
遊技の進行に応じて第１情報（たとえば、経験値、ゲーム数、ＢＢ回数、達成ミッション）を更新する第１更新手段（たとえば、図２６のステップＳ１２９３〜ステップＳ１２９６）と、
遊技の進行に応じて第２情報（たとえば、金、銀、銅コインのコイン数）を更新する第２更新手段（たとえば、図２６のステップＳ１３３１〜ステップＳ１３３６）と、
前記第１更新手段によって更新された前記第１情報および前記第２更新手段によって更新された前記第２情報を前記所定情報に含ませて出力する所定情報出力手段（たとえば、図２５のステップＳ１２６３，ステップＳ１２６７）とを備え、
前記管理装置は、
前記所定情報出力手段によって出力された前記所定情報に含まれる前記第１情報を第１履歴情報（たとえば、経験値、総ゲーム数、累計ＢＢ回数、達成ミッション）として集計する第１集計手段（たとえば、図１９のステップＳ２２５、図２１のステップＳ２４６，ステップＳ２５４、図２０のステップＳ２７１〜ステップＳ２７５）と、
前記所定情報出力手段によって出力された前記所定情報に含まれる前記第２情報を第２履歴情報（たとえば、積算コイン数）として集計する第２集計手段（たとえば、図１９のステップＳ２２５、図２１のステップＳ２４６，ステップＳ２５４、図２０のステップＳ２７６，ステップＳ２７７）と、
前記第１集計手段によって集計された前記第１履歴情報を遊技者の遊技履歴（たとえば、経験値、総ゲーム数、累計ＢＢ回数、達成ミッション）として出力する遊技履歴出力手段（たとえば、図１９のステップＳ２２７，図２１のステップＳ２４８，ステップＳ２５８）と、
前記第２集計手段によって集計された前記第２履歴情報に応じて、遊技者に特典（たとえば、アイテム）を付与する特典付与手段（たとえば、図２１のステップＳ２６３〜ステップＳ２６６）とを備え、
遊技の内容のうち特定内容は、前記遊技機で行なわれた単位遊技の回数が第１回数であるとともに前記単位遊技において遊技者にとって有利な結果となった回数が第２回数である内容であり、
所定値は、前記単位遊技が実行されることに応じて前記有利な結果とするか否かの抽選とは異なる抽選によって複数種類の値のいずれかで更新される値を集計した値であり、
前記第１情報は、前記遊技機で行なわれた遊技の内容が前記特定内容であるときに前記第１回数および前記第２回数を特定可能な情報であり、
前記第２情報は、前記遊技機で行なわれた遊技の内容が前記特定内容であるときに前記所定値を特定可能な情報であり、
前記所定情報出力手段は、前記所定情報を２次元コードとして画像表示装置へ表示することによって出力することを特徴とする。
【手続補正４】
【補正対象書類名】明細書
【補正対象項目名】０００７
【補正方法】変更
【補正の内容】
【０００７】
このような構成によれば、遊技機によって、遊技の進行に応じて第１情報が更新され、遊技の進行に応じて第２情報が更新され、更新された第１情報および第２情報が所定情報に含ませられて出力される。管理装置によって、遊技機から出力された所定情報に含まれる第１情報が第１履歴情報として集計され、所定情報に含まれる第２情報が第２履歴情報として集計され、集計された第１履歴情報が遊技者の遊技履歴として出力され、集計された第２履歴情報に応じて、遊技者に特典が付与される。
遊技の内容のうち特定内容は、遊技機で行なわれた単位遊技の回数が第１回数であるとともに単位遊技において遊技者にとって有利な結果となった回数が第２回数である内容である。所定値は、単位遊技が実行されることに応じて有利な結果とするか否かの抽選とは異なる抽選によって複数種類の値のいずれかで更新される値を集計した値である。
第１情報は、遊技機で行なわれた遊技の内容が特定内容であるときに第１回数および第２回数を特定可能な情報である。第２情報は、遊技機で行なわれた遊技の内容が特定内容であるときに所定値を特定可能な情報である。
遊技機によって、所定情報が２次元コードとして画像表示装置へ表示されることによって出力される。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
（２）  上記（１）の遊技システムにおいて、
前記第２更新手段は、前記第２情報を更新するパターンとして、前記特典付与手段によって遊技者に特典が付与され易い有利更新パターン（たとえば、図２１のステップＳ２６６でコインの枚数に応じてアイテムが付与されるように、図２６のステップＳ１３３２のコイン取得抽選で当りとなってステップＳ１３３５でコインが加算されるパターン）と、前記特典付与手段によって遊技者に特典が付与されにくい不利更新パターン（たとえば、図２１のステップＳ２６６でコインの枚数に応じてアイテムが付与されないように、図２６のステップＳ１３３２のコイン取得抽選ではずれとなってコインが加算されないパターン）とを含むことを特徴とする。
【手続補正８】
【補正対象書類名】明細書
【補正対象項目名】００１３
【補正方法】変更
【補正の内容】
【００１３】
（３）  上記（１）または（２）の遊技システムにおいて、
前記所定情報に含まれる前記第１情報および前記第２情報について、前記第２情報のデータ量が、前記第１情報のデータ量よりも小さいことを特徴とする。
【手続補正９】
【補正対象書類名】明細書
【補正対象項目名】００１５
【補正方法】変更
【補正の内容】
【００１５】
（４）  上記（１）から（３）のいずれかの遊技システムにおいて、
前記特典付与手段は、前記所定情報を出力した遊技機での遊技とは異なる種類の遊技（たとえば、サーバ側のミニゲーム、他の遊技機での遊技）の結果に応じて、特典の付与の度合いを異ならせて特典を付与する（たとえば、図２０のステップＳ２８１〜ステップＳ２８５のように、ミニゲームの直近の持点に応じてポイントを加算することに替えて、コインを加算するようにしてもよい）ことを特徴とする。
【手続補正１０】
【補正対象書類名】明細書
【補正対象項目名】００１７
【補正方法】変更
【補正の内容】
【００１７】
（５）  遊技の結果に応じた所定情報を出力する遊技機であって、
遊技の進行に応じて第１情報を更新する第１更新手段と、
遊技の進行に応じて第２情報を更新する第２更新手段と、
前記第１更新手段によって更新された前記第１情報および前記第２更新手段によって更新された前記第２情報を前記所定情報に含ませて出力する所定情報出力手段とを備え、
遊技の内容のうち特定内容は、該遊技機で行なわれた単位遊技の回数が第１回数であるとともに前記単位遊技において遊技者にとって有利な結果となった回数が第２回数である内容であり、
所定値は、前記単位遊技が実行されることに応じて前記有利な結果とするか否かの抽選とは異なる抽選によって複数種類の値のいずれかで更新される値を集計した値であり、
前記所定情報に含まれる前記第１情報は、該遊技機で行なわれた遊技の内容が前記特定内容であるときに前記第１回数および前記第２回数を特定可能な情報であって、前記所定情報に基づいて遊技履歴を更新する管理装置によって遊技者の遊技履歴として出力される第１履歴情報として集計される情報であり、
前記所定情報に含まれる前記第２情報は、該遊技機で行なわれた遊技の内容が前記特定内容であるときに前記所定値を特定可能な情報であって、前記管理装置によって遊技者への特典の付与に用いられる第２履歴情報として集計される情報であり、
前記所定情報出力手段は、前記所定情報を２次元コードとして画像表示装置へ表示することによって出力することを特徴とする。
【手続補正１１】
【補正対象書類名】明細書
【補正対象項目名】００１９
【補正方法】変更
【補正の内容】
【００１９】
（６）  所定情報に基づいて遊技履歴を更新する管理装置であって、
遊技の結果に応じた前記所定情報を２次元コードとして画像表示装置へ表示することによって出力する遊技機によって遊技の進行に応じて更新された第１情報および第２情報が含められて出力された前記所定情報に含まれる前記第１情報を第１履歴情報として集計する第１集計手段と、
前記遊技機によって出力された前記所定情報に含まれる前記第２情報を第２履歴情報として集計する第２集計手段と、
前記第１集計手段によって集計された前記第１履歴情報を遊技者の遊技履歴として出力する遊技履歴出力手段と、
前記第２集計手段によって集計された前記第２履歴情報に応じて、遊技者に特典を付与する特典付与手段とを備え、
遊技の内容のうち特定内容は、前記遊技機で行なわれた単位遊技の回数が第１回数であるとともに前記単位遊技において遊技者にとって有利な結果となった回数が第２回数である内容であり、
所定値は、前記単位遊技が実行されることに応じて前記有利な結果とするか否かの抽選とは異なる抽選によって複数種類の値のいずれかで更新される値を集計した値であり、
前記第１情報は、前記遊技機で行なわれた遊技の内容が前記特定内容であるときに前記第１回数および前記第２回数を特定可能な情報であり、
前記第２情報は、前記遊技機で行なわれた遊技の内容が前記特定内容であるときに前記所定値を特定可能な情報であることを特徴とする。